(57)【要約】      （修正有）【課題】ウエスト部分に前中央ボタン・ファスナーつきの構造をもつスラックスの前中央ボタンを留めたままおよびファスナーを閉じたまま、又は開けたままではくことができ、さらに、着用時に、ウエスト部分のデザインがフラットなシルエットであるウエスト構造を提供する。【解決手段】片側脇ポケット周辺のウエスト部分を開き、ファスナーを取り付け、内側に伸縮素材を加えたことを特徴とする。【選択図】図１
0003151776.tif 000002
【実用新案登録請求の範囲】
【請求項１】
ウエスト部分の前中央ファスナーを開閉することで着脱する構造をもつジーパンおよびズボンに対し、片側脇ポケット周辺のウエスト部分を開きファスナーを取り付け内側に伸縮素材を加えることにより、前中央ボタンを留めたままおよびファスナーを閉じたまま（開けても可）で、ウエストベルト部分がジャージのように開き、ジャージのように穿く・脱ぐことができるウエスト構造。
【請求項２】
前中央ファスナーを開閉することで着脱する構造をもつジーパンおよびズボンに対し、片側脇ポケット周辺にファスナーを取り付け内側に伸縮素材を加えることにより、前中央ボタンを留めたままおよび前中央ファスナーを閉じたままで、ジャージのように穿く・脱ぐことができる機能を、一般的なシルエット（フラットなシルエット）で提供する構造。
【考案の詳細な説明】
【技術分野】
【０００１】本実用新案は、前中央ファスナーの開閉によって脱ぎ着する構造をもつジーパンおよびズボンのウエスト伸縮構造に関するものである。
【背景技術】
【０００２】前中央ファスナーの開閉によって脱ぎ着をするズボンは、両手・指の細かい動作を必要とする。片方の手のみで穿こうとすると支点となる部分以外ものが、下へ下へと落ちてしまい穿くことが困難である。また、指先に力が入らない場合など、ウエストベルトのボタンやホックを留めることが困難である。ベルト中央のボタンが留まらないと、ファスナーをあげることが、困難である。一方、今までの「ファスナーを使用しないタイプのズボン」は、総ゴム、一部ゴムなどの仕様となり、デザイン上ギャザーが発生する場合が多い。ギャザーを使わず、すっきりとしたデザインでありながら、ボタンを留めることやファスナーの開閉に伴う困難さを回避したものがなかった。
【考案の開示】
【考案が解決しようとする課題】
【０００３】前中央ボタンを留めたままおよびファスナーを閉じたまま（開けても可）で穿くことのできるウエスト伸縮構造を提案する。さらに、着用時に、ウエスト部分のデザインが本来のデザインとほぼ変わらないもの（ギャザーのないもの）を提案する。
【課題を解決するための手段】
【０００４】以上の課題を解決するために、片側脇ポケット周辺に新たなファスナー構造をもたせる２タイプ（前身ごろタイプ・脇位置タイプ）を、図面に使用する符号を用いて説明する。【０００５】片側前身ごろにファスナーを取り付ける構造を持つタイプの場合、前身ごろＡの部分にファスナーＸを取り付ける。これにより、ベルトＣとＤの部分は開閉可能な構造となる。ベルト内側ＥとＦの間に伸縮素材Ｊを取り付ける。さらに、ベルト開口部Ｃ、Ｄに隣接する部分Ｇ、Ｈおよび脇位置Ｉ摩擦の抵抗の低い素材でベルト通し状のものを取り付ける。【０００６】脇位置にファスナーを取り付ける構造を持つタイプの場合は、片側脇位置・前身頃Ａと後ろ身頃Ｂの間にファスナーＸを取り付ける。これにより、ＣとＤの部分は開閉可能な構造となる。ベルト内側ＥとＦの間に伸縮素材Ｊを取り付ける。さらに、ベルト開口部Ｃ、Ｄに隣接する部分Ｇ、Ｈに摩擦の抵抗の低い素材でベルト通し状のものを取り付ける。
【考案の効果】
【０００７】このように構成されたジーパンおよびズボンは、「穿く・脱ぐ」という動作の際、前中央ファスナーを下げる必要がなく、また、中央ボタンを外したりとめたりする動作の必要がない。【０００８】両タイプともに、ジャージのようなウエスト伸縮機能を有しているため、「穿く・脱ぐ」という動作が簡便である。【０００９】両タイプともに、ジャージのようなウエスト伸縮機能を有していながら、デギャザーなどで生じるデザイン上での違和感（立体感）を取り除き、一般的なジーパン・ズボンのラインを成立させている。
【考案を実施するための最良の形態】
【００１０】片側前身ごろにファスナーを取り付けタイプと、片側脇位置にファスナー取り付けるタイプの２タイプを提案する。
【実施例１】
【００１１】片側前身ごろにファスナーを取り付けタイプは、「前中央ファスナーの開閉を行うことで着脱するズボン」のベルト部分において、片側前身頃Ａに開閉部を作る＝Ｃ、Ｄ。
Ｃ、Ｄの間にファスナーＸを取り付ける。
ベルト内側前身頃Ｅおよび後ろ身頃Ｆに伸縮素材Ｊを取り付ける。【００１２】ベルト開口部Ｃ、Ｄ隣接する部分Ｇ、Ｈ、および脇位置Ｉに摩擦の抵抗の低い素材でベルト通し状のものを取り付け、伸縮素材Ｊをその中に通す。
伸縮素材Ｊの長さは、最大伸長時に、前中央ファスナーおよびボタンを閉じた状態で、ジャージのようにはいたり脱いだりできる分量を確保するものであり、なおかつ、着用時に十分収縮ものとする。
【実施例２】
【００１３】脇位置にファスナーを取り付ける構造を持つタイプは、「前中央ファスナーの開閉を行うことで着脱するズボン」のベルト部分において、片側脇位置・前身頃Ａと後ろ身頃Ｂの間に開閉部を作る＝Ｃ、Ｄ。
Ｃ、Ｄの間にファスナーＸを取り付ける。
ベルト内側ＥとＦの間に伸縮素材Ｊを取り付ける。【００１４】ベルト開口部Ｃ、Ｄに隣接する部分Ｇ、Ｈに摩擦の抵抗の低い素材でベルト通し状のものを取り付け、伸縮素材Ｊをその中に通す。
伸縮素材Ｊの長さは、最大伸長時に、前中央ファスナーおよびボタンを閉じた状態で、ジャージのようにはいたり脱いだりできる分量を確保するものするものであり、なおかつ、着用時に十分収縮する。
【産業上の利用可能性】
【００１５】前中央ボタンの留め外しおよびファスナーの開閉動作が困難だった手先に力の入りにくい人にも楽に穿ける構造を提供することで、ジーパンおよびズボンのユーザーを飛躍的に伸ばすことが可能になる。【００１６】片手では穿くことが困難だったジーパンおよびスラックスの弱点（片手で穿く動作中、右足側を持ち上げると、左足側が下に落ちてしまう）を克服する構造を提供することで、ジーパンおよびズボンのユーザーを飛躍的に伸ばすことが可能になる。
【図面の簡単な説明】
【００１７】
【図１】本実用新案の片側前身ごろにファスナーを取り付けタイプの正面図である。
【図２】本実用新案の片側脇位置にファスナー取り付けるタイプ正面図である。
【符号の説明】
【００１８】Ａ  ズボン前身頃
Ｂ  ズボン後ろ身頃
Ｃ  ベルト開口部（前側）
Ｄ  ベルト開口部（後ろ側）
Ｅ  伸縮素材縫込み位置（前側）
Ｆ  伸縮素材縫込み位置（後ろ側）
Ｇ  ベルト内側、ベルト通し（前側）
Ｈ  ベルト内側  ベルト通し（後ろ側）
Ｉ  ベルト内側  ベルト通し（脇位置）
Ｊ  伸縮素材
Ｘ  ファスナー
【図１】
0003151776.tif 000003
【図２】
0003151776.tif 000004
【手続補正書】
【提出日】平成21年4月8日(2009.4.8)
【手続補正１】
【補正対象書類名】実用新案登録請求の範囲
【補正対象項目名】全文
【補正方法】変更
【補正の内容】
【実用新案登録請求の範囲】
【請求項１】
ウエスト部分の前中央ファスナーを開閉することで着脱する構造をもつジーパンおよびズボンに対し、片側脇ポケット周辺のウエスト部分を開きファスナーを取り付け内側に伸縮素材を加えることにより、前中央ボタンを留めたままおよびファスナーを閉じたまま、または開けたままで、ウエストベルト部分がジャージのように開き、ジャージのように穿く・脱ぐことができるウエスト構造。
【請求項２】
前中央ファスナーを開閉することで着脱する構造をもつジーパンおよびズボンに対し、片側脇ポケット周辺にファスナーを取り付け内側に伸縮素材を加えることにより、前中央ボタンを留めたままおよび前中央ファスナーを閉じたままで、ジャージのように穿く・脱ぐことができる機能を、フラットなシルエットで提供する構造。